(57)【特許請求の範囲】
【請求項１】
第１の形態と第２の形態とに変換可能な携帯電子機器であって、
前記第１の形態において外部に露出し、発光源を有さない第１の表示部と、
少なくとも前記第１の形態において外部に露出する第１の操作部と、
前記第２の形態において外部に露出し、前記第１の表示部とは異なる方式で情報を表示する第２の表示部と、
前記第２の形態において外部に露出する第２の操作部と、
前記第１の操作部で受け付けられた操作に基づいて前記第１の表示部に表示される第１の情報を更新し、前記第２の操作部で受け付けられた操作に基づいて前記第２の表示部に表示される第２の情報を更新する制御部とを備え、
前記制御部は、前記第２の形態から前記第１の形態への形態の変化と連動して、
前記第２の情報のなかから情報が選択されている場合、該選択されている情報を前記第１表示部に表示させ、
前記第２の情報のなかから情報が選択されていない場合、前記第２の表示部に表示されている情報を前記第１の表示部に表示させることを特徴とする携帯電子機器。
【請求項２】
少なくとも前記第２の形態において外部に露出し、前記第１の表示部とは異なる方式で情報を表示する第３の表示部をさらに備え、
前記制御部は、前記第２の表示部および前記第３の表示部にまたがって前記第２の情報を表示させることを特徴とする請求項１に記載の携帯電子機器。
【請求項３】
前記制御部は、前記第１の形態から前記第２の形態への形態の変化と連動して、前記第１の情報に関連する情報を前記第２の情報として表示させることを特徴とする請求項１または２に記載の携帯電子機器。
【請求項４】
前記制御部は、前記第１の形態から前記第２の形態への形態の変化と連動して、前記第１の情報のうち選択された部分に対する検索処理を実行し、当該検索処理の検索結果を前記第２の情報として表示させることを特徴とする請求項３に記載の携帯電子機器。
【請求項５】
前記検索処理は、当該携帯電子機器に予め記憶されたデータベースを検索する処理であることを特徴とする請求項４に記載の携帯電子機器。
【請求項６】
前記検索処理は、検索サービスを提供するネットワーク上のサーバ装置へ検索を依頼し、検索結果を受信する処理であることを特徴とする請求項４に記載の携帯電子機器。
【請求項７】
前記第２の表示部は、前記第１の形態において一部が露出し、
前記制御部は、前記第２の形態から前記第１の形態への変化と連動して、前記第２の情報の少なくとも一部を前記第１の形態において露出している前記第２の表示部に表示させることを特徴とする請求項１から６のいずれか１項に記載の携帯電子機器。
【発明の詳細な説明】
【技術分野】
【０００１】
本発明は、携帯電子機器に関する。
【背景技術】
【０００２】
文字や図形を表示する表示パネルとして電子ペーパを用いる携帯電子機器が知られている（例えば、特許文献１）。電子ペーパは、電力の供給がなくても表示内容を保持することができるという特徴をもち、携帯電子機器の省電力化に貢献する。
【先行技術文献】
【特許文献】
【０００３】
【特許文献１】特開２００６−２４３５２１号公報
【発明の概要】
【発明が解決しようとする課題】
【０００４】
しかしながら、電子ペーパには、液晶ディスプレイ（ＬＣＤ、Liquid Crystal Display）や有機ＥＬ（Organic Electro-Luminescence）パネルと比較して、応答速度が低い、鮮明なカラー表示が難しいといった短所がある。このため、表示パネルとして電子ペーパを用いる従来の携帯電子機器は、動画や画像の鑑賞といった用途に利用しづらかった。
【０００５】
本発明は、上記に鑑みてなされたものであって、省電力を実現しつつ、多様な用途に用いることができる携帯電子機器を提供することを目的とする。
【課題を解決するための手段】
【０００６】
上述した課題を解決し、目的を達成するために、本発明に係る携帯電子機器は、第１の形態と第２の形態とに変換可能な携帯電子機器であって、前記第１の形態において外部に露出し、発光源を有さない第１の表示部と、少なくとも前記第１の形態において外部に露出する第１の操作部と、前記第２の形態において外部に露出し、前記第１の表示部とは異なる方式で情報を表示する第２の表示部と、前記第２の形態において外部に露出する第２の操作部と、前記第１の操作部で受け付けられた操作に基づいて前記第１の表示部に表示される第１の情報を更新し、前記第２の操作部で受け付けられた操作に基づいて前記第２の表示部に表示される第２の情報を更新する制御部とを備える。
【０００７】
ここで、前記携帯電子機器は、少なくとも前記第２の形態において外部に露出し、前記第１の表示部とは異なる方式で情報を表示する第３の表示部をさらに備え、前記制御部は、前記第２の表示部および前記第３の表示部にまたがって前記第２の情報を表示させることが好ましい。
【０００８】
また、前記制御部は、前記第１の形態から前記第２の形態への形態の変化と連動して、前記第１の情報に関連する情報を前記第２の情報として表示させることが好ましい。
【０００９】
また、前記制御部は、前記第１の形態から前記第２の形態への形態の変化と連動して、前記第１の情報のうち選択された部分に対する検索処理を実行し、当該検索処理の検索結果を前記第２の情報として表示させることが好ましい。なお、ここでいう検索処理は、当該携帯電子機器に予め記憶されたデータベースを検索する処理であってもよいし、検索サービスを提供するネットワーク上のサーバ装置へ検索を依頼し、検索結果を受信する処理であってもよい。
【００１０】
また、前記制御部は、前記第２の形態から前記第１の形態への形態の変化と連動して、前記第２の情報の少なくとも一部を前記第１の情報として表示させることが好ましい。
【００１１】
また、前記第２の表示部は、前記第１の形態において一部が露出し、前記制御部は、前記第２の形態から前記第１の形態への変化と連動して、前記第２の情報の少なくとも一部を前記第１の情報として前記第２の表示部にも表示させることが好ましい。
【発明の効果】
【００１２】
本発明に係る携帯電子機器は、省電力を実現しつつ、多様な用途に用いることができるという効果を奏する。
【図面の簡単な説明】
【００１３】
【図１】図１は、閉状態にある携帯電子機器を示す斜視図である。
【図２】図２は、開状態にある携帯電子機器を示す斜視図である。
【図３】図３は、携帯電子機器の分解斜視図である。
【図４】図４は、閉状態にある携帯電子機器の正面図である。
【図５】図５は、閉状態にある携帯電子機器の平面図である。
【図６】図６は、閉状態にある携帯電子機器の底面図である。
【図７】図７は、閉状態にある携帯電子機器の側面図である。
【図８】図８は、開状態にある携帯電子機器の平面図である。
【図９】図９は、開状態にある携帯電子機器の側面図である。
【図１０】図１０は、閉状態にある携帯電子機器のＡ−Ａ’断面の概要を示す図である。
【図１１】図１１は、開状態にある携帯電子機器のＢ−Ｂ’断面の概要を示す図である。
【図１２】図１２は、携帯電子機器の機能的な構成を示すブロック図である。
【図１３】図１３は、携帯電子機器の形態の変化と連動して表示部の表示内容を変化させる制御の処理手順を示すフロー図である。
【図１４】図１４は、閉状態にある他の携帯電子機器を示す斜視図である。
【図１５】図１５は、開状態にある他の携帯電子機器を示す斜視図である。
【発明を実施するための形態】
【００１４】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。また、本発明に係る携帯電子機器は、電子書籍表示装置、携帯電話端末、ＰＨＳ（Personal  Handy-phone  System）、パソコン、携帯情報端末、ゲーム機等の各種装置を含む。
【００１５】
（実施形態）
まず、図１および図２を参照しながら、本発明に係る電子機器の一実施形態である携帯電子機器１の外観について説明する。図１は、閉状態にある携帯電子機器１を示す斜視図である。図２は、開状態にある携帯電子機器１を示す斜視図である。
【００１６】
図１および図２に示すように、携帯電子機器１は、第１筐体１Ａと、第２筐体１Ｂと、ヒンジ機構８とを有する。ヒンジ機構８は、第１筐体１Ａと第２筐体１Ｂとを、相対的に回動可能に連結する。すなわち、携帯電子機器１は、折り畳み式の筐体を有する。
【００１７】
第１筐体１Ａは、最も表面積が広い面の１つに第１表示部３２と、ボタン１３ａおよび１３ｂと、カバー１４とを有する。第１表示部３２は、電子ペーパ等の、発光源を有さず、メモリ性のある表示パネルを備える。ここで、メモリ性があるということは、電源の供給が切れても表示内容を保持可能であることを意味する。ボタン１３ａおよび１３ｂは、第１表示部３２に表示される情報のページ切り替え等の操作のために用いられる。カバー１４は、樹脂等からなる透明または半透明の部材である。
【００１８】
また、第１筐体１Ａは、第１表示部３２を有する面と反対側の面に第２表示部３４を有する。第２表示部３４は、第１表示部３２が備える表示パネルと異なる方式で情報を表示する表示パネル（例えば、液晶ディスプレイや有機ＥＬパネル）を備える。第２表示部３４が備える表示パネルは、少なくとも応答速度、発色数、色の鮮明度のいずれか１つにおいて、第１表示部３２が備える表示パネルよりも優れる。
【００１９】
第２筐体１Ｂは、最も表面積が広い面の１つに第３表示部３６と、ボタン１３ｃ〜１３ｉと、カバー１６と、を有する。第３表示部３６は、第２表示部３４と同じ種類の表示パネルを備える。ボタン１３ｃ〜１３ｆは、第２表示部３４および第３表示部３６に表示される情報のページ切り替え等の操作のために用いられる。ボタン１３ｇ〜１３ｉは、携帯電子機器１に搭載されたオペレーティングシステムが提供する各種機能を呼び出すために用いられる。カバー１６は、カバー１４と同一の素材からなる透明な部材である。
【００２０】
図１に示す閉状態において、携帯電子機器１は、折り畳まれて、第１筐体１Ａの第２表示部３４を有する面と、第２筐体１Ｂの第３表示部３６を有する面とが対向する形状となる。この形状は、携帯電子機器１の露出部分の表面積が最小となる形状であり、携帯電子機器１を持ち運ぶのに適している。閉状態においては、第１表示部３２と、ボタン１３ａおよび１３ｂとが外部に露出している。このため、利用者は、閉状態のままで、第１表示部３２に表示されている情報を閲覧したり、ボタン１３ａまたは１３ｂを操作して第１表示部３２に表示されている情報を切り替えたりすることができる。
【００２１】
図２に示す開状態において、携帯電子機器１は、第１筐体１Ａの第２表示部３４を有する面と、第２筐体１Ｂの第３表示部３６を有する面とが外部に露出し、同一平面上に並んだ形状となる。第２表示部３４および第３表示部３６は、開状態における第１筐体１Ａと第２筐体１Ｂとの境界と平行方向に略同一の幅を有し、また、端部の１つが境界に近接するように配置されている。開状態において、携帯電子機器１は、第２表示部３４および第３表示部３６を連結した１つの表示部として制御し、第２表示部３４および第３表示部３６にまたがって情報を表示させる。
【００２２】
上述したように、携帯電子機器１は、閉状態と開状態の両方の状態においても利用可能に構成されている。閉状態において、利用者は、第１表示部３２に表示される情報を閲覧することができる。第１表示部３２が備える表示パネルはメモリ性を有するため、閉状態において携帯電子機器１を利用しても消費電力は少なくて済む。
【００２３】
また、開状態において、第２表示部３４および第３表示部３６は、同一平面上にほとんど間隔を空けずに配置されるので、携帯電子機器１は、第２表示部３４および第３表示部３６にまたがる広い表示領域に情報を閲覧することができる。さらに、第２表示部３４および第３表示部３６が備える表示パネルは、消費電力以外の点において第１表示部３２が備える表示パネルよりも優れているため、開状態における携帯電子機器１は、閉状態における携帯電子機器１よりも多様な用途に用いることができる。
【００２４】
このように、携帯電子機器１は、省電力化と用途の多様化とを実現することができる。
【００２５】
次に、図３から図１１を参照しながら、携帯電子機器１の構成についてさらに詳しく説明する。図３は、携帯電子機器１の分解斜視図である。図４から図７は、それぞれ、閉状態にある携帯電子機器１の正面図、平面図、底面図、側面図である。図８および図９は、それぞれ、開状態にある携帯電子機器１の平面図および側面図である。図１０は、閉状態にある携帯電子機器１のＡ−Ａ’断面の概要を示す図である。図１１は、開状態にある携帯電子機器１のＢ−Ｂ’断面の概要を示す図である。なお、図１０および図１１では、装置内部の構成を簡略化して図示している。
【００２６】
図３および図８等に示すように、ヒンジ機構８は、第１筐体１Ａに設けられた凸構造８ａおよび８ｂと、第２筐体１Ｂに設けられた凸構造８ｃおよび８ｄとを有する。凸構造８ａおよび凸構造８ｃは、開状態における第１筐体１Ａおよび第２筐体１Ｂの境界の一方の端部付近で組み合わされ、凸構造８ｂおよび凸構造８ｄは、境界のもう一方の端部付近で組み合わされる。
【００２７】
このように、ヒンジ機構８は、開状態における第１筐体１Ａおよび第２筐体１Ｂの境界の両端付近において第１筐体１Ａおよび第２筐体１Ｂを連結するように構成されている。このため、第１筐体１Ａおよび第２筐体１Ｂの境界の中央部には第１筐体１Ａおよび第２筐体１Ｂを連結するための構造がなく、第２表示部３４と第３表示部３６とを境界付近で近接させて配置することが可能になっている。
【００２８】
また、携帯電子機器１は、図１１に示すように、開状態において、第１筐体１Ａの第２表示部３４を有する面ＳＡと、第２筐体１Ｂの第３表示部３６を有する面ＳＢとが同一平面上に並ぶように構成されている。このため、開状態において、第２表示部３４と第３表示部３６とを段差なく配置することが可能になっている。
【００２９】
このような構成を実現するため、ヒンジ機構８は、回動途中における面ＳＡを拡張した面と面ＳＢを拡張した面との交線上に回転軸Ｐが位置するように配置される。回転軸Ｐは、第１筐体１Ａと第２筐体１Ｂとが相対的に回動する際の回転軸である。この結果、図９に示すように、開状態において、面ＳＡおよび面ＳＢは、回転軸Ｐを通過する同一平面上に位置することとなる。
【００３０】
また、携帯電子機器１は、開状態において、面ＳＡと面ＳＢとが同一平面上に位置する状態を維持することができるように以下の構成を有する。１つには、携帯電子機器１は、図１１に示すように、開状態において第１筐体１Ａの面およびカバー１４と、第２筐体１Ｂの面とが当接するため、面ＳＡと面ＳＢとが相対的に１８０度以上回動しないように規制される。また、もう１つには、携帯電子機器１は、図９に示すように、開状態においてカバー１４とカバー１６とが係合して、所定以上の力が印加されない限り形状が閉状態へ遷移しないように規制される。
【００３１】
また、第１筐体１Ａは、図８および図１１に示すように、開状態において、面ＳＡが回転軸Ｐよりも第２筐体１Ｂ側へ入り込む形状となっている。このため、開状態における第１筐体１Ａおよび第２筐体１Ｂの境界に近接するように配置されている第２表示部３４は、図６に示すように、閉状態において一部が外部に露出する。携帯電子機器１は、この第２表示部３４の露出部分に文字やシンボルを表示することにより、利用者に対して、着信したメールや登録されたスケジュール等についての通知や、各種の情報提供を行うことができる。
【００３２】
また、図３等に示すように、第１筐体１Ａは、面ＳＡと反対側の面がカバー１４によって覆われ、第２筐体１Ｂは、面ＳＢと反対側の面がカバー１６によって覆われる。カバー１４は、透明または半透明の素材からなり、第１表示部３２に表示されている内容を透過させつつ、面ＳＡと反対側の面および第１表示部３２を保護する。カバー１６は、カバー１４と同一の素材からなり、面ＳＢと反対側の面を保護する。なお、カバー１４およびカバー１６は、任意の色に着色されていてもよい。
【００３３】
また、カバー１４およびカバー１６は、第１筐体１Ａまたは第２筐体１Ｂと接する面と反対側の面には滑り止めのための微細な凹凸が設けられ、少なくとも側面側の端面（第１筐体１Ａまたは第２筐体１Ｂと接する面に対して略垂直な面）は平滑な平面となっている。このため、カバー１４およびカバー１６は、入射した光を端面から漏れ出でさせ、携帯電子機器１に特徴的な美観をもたらす。
【００３４】
カバー１４およびカバー１６は、さらに別の機能的な効果をもたらす。図４等に示すように、カバー１４には、閉状態においてヒンジ機構８と反対側でカバー１６と当接する部分に切り欠き１４ａが設けられている。また、カバー１６には、閉状態においてヒンジ機構８と反対側でカバー１４と当接する部分に切り欠き１６ａが設けられている。また、携帯電子機器１は、閉状態において、ヒンジ機構８と反対側にカバー１４およびカバー１６の厚みの分だけの段差を有する。この段差は、利用者が携帯電子機器１の形状を閉状態から開状態へ遷移させる際に指先をかける場所として機能する。なお、切り欠き１４ａおよび切り欠き１６ａは、いずれか一方のみが設けられている場合でも、指先をかける場所として機能しうる。
【００３５】
さらに、カバー１６は、図３および図６等に示すように、切り欠き１６ａの反対側、すなわち、開状態における第１筐体１Ａおよび第２筐体１Ｂの境界の近傍（回転軸Ｐの近傍）に端部を丸めた矩形状の切り欠き１６ｂが設けられている。このため、カバー１６は、切り欠き１６ｂの両端で、カバー１６の厚み分だけの段差（凸部）を境界と垂直な方向に生じさせる。これらの段差は、閉状態と開状態のいずれにおいても、利用者が携帯電子機器１を安定的に保持するために役立つ。
【００３６】
具体的に説明すると、閉状態においては、利用者が、第１筐体１Ａの側面の一方を上にして、開状態における第１筐体１Ａおよび第２筐体１Ｂの境界の中央付近を片手で握って、携帯電子機器１を利用することが想定されている。この場合、携帯電子機器１を握る手の指が境界と垂直な方向の段差にかかって、手の位置が縦方向にずれることを抑止する。なお、ボタン１３ａおよび１３ｂは、閉状態において携帯電子機器１を握る手の指で操作しやすいように、境界の近傍に配置されている。
【００３７】
開状態においては、利用者が、第１筐体１Ａの側を上にして、第１筐体１Ａおよび第２筐体１Ｂの境界の端部の下側（第２筐体１Ｂ側）付近を片手または両手で握って、携帯電子機器１を利用することが想定されている。この場合、携帯電子機器１を握る手の指が境界と垂直な方向の段差にかかって、手の位置が横方向にずれることを抑止する。なお、ボタン１３ｃおよび１３ｄは、開状態において携帯電子機器１を握る左手の指で操作しやすいように、第２筐体１Ｂの左側面の近傍に配置されている。ボタン１３ｅおよび１３ｆは、開状態において携帯電子機器１を握る右手の指で操作しやすいように、第２筐体１Ｂの右側面の近傍に配置されている。
【００３８】
携帯電子機器１を安定的に保持させる効果は、カバー１６だけでなく、第２筐体１Ｂの構造からも生じる。図１０および図１１に示すように、第２筐体１Ｂは、開状態における第１筐体１Ａおよび第２筐体１Ｂの境界の近傍（回転軸Ｐの近傍）に、携帯電子機器１が備える部品の中で最も重い部品の１つである充電池１１を収容する。そして、既に説明したように、携帯電子機器１は、閉状態と開状態のいずれにおいても、開状態における第１筐体１Ａおよび第２筐体１Ｂの境界付近を手で握って利用することが想定されている。このため、携帯電子機器１は、利用時には、閉状態と開状態のいずれにおいても、重心付近を握って安定的に保持されることとなる。
【００３９】
さらに、図１０および図１１に示すように、第２筐体１Ｂは、電源容量を確保するために比較的大型になっている充電池１１を収容するために、開状態における第１筐体１Ａおよび第２筐体１Ｂの境界の近傍（回転軸Ｐの近傍）が他の部分よりも厚くなっている。この厚みは、グリップとして機能し、携帯電子機器１を握りやすくする。また、この厚みは、第２筐体１Ｂの面ＳＢと反対側に立体的な形状をもたせ、第２筐体１Ｂの機械的な強度を増大させる。
【００４０】
次に、図１２を参照しながら、携帯電子機器１の機能的な構成について説明する。図１２は、携帯電子機器１の機能的な構成を示すブロック図である。図１２に示すように、携帯電子機器１は、制御部２２と、記憶部２４と、通信部２６と、開閉検出部２８と、操作部１３と、第１表示部３２と、第２表示部３４と、第３表示部３６とを有する。
【００４１】
記憶部２４は、各種情報を記憶する記憶装置である。記憶部２４は、携帯電子機器１内に固定的に設けられたフラッシュメモリ等の記憶媒体に情報を記憶させるものであってもよいし、メモリカード等の取り出し可能な記憶媒体と、記憶媒体の読み書き装置との組み合わせとして構成されていてもよい。
【００４２】
記憶部２４には、制御部２２での処理に利用されるデータやプログラムが記憶される。記憶部２４に記憶されるプログラムには、例えば、電子書籍の閲覧機能を提供するプログラム、ＷＥＢページの閲覧機能を提供するプログラム、携帯電子機器１の形態の変化と連動して第１表示部３２等の表示内容を変化させる機能を提供するプログラムが含まれる。また、記憶部２４に記憶されるデータには、例えば、第１表示部３２等に表示される書籍データ、種々の情報が格納されたデータベースが含まれる。
【００４３】
通信部２６は、アンテナ２６ａを有し、基地局によって割り当てられるチャネルを介し、基地局との間でＣＤＭＡ方式などによる無線信号回線を確立し、基地局との間で電話通信および情報通信を行う。操作部１３は、ボタン１３ａ〜１３ｉを含み、これらのボタンが利用者によって操作されると、その操作内容に対応する信号を発生させる。そして、発生した信号は、利用者の指示として制御部２２へ入力される。
【００４４】
開閉検出部２８は、携帯電子機器１の形態の変化、すなわち、携帯電子機器１が閉状態から開状態となったこと、または、開状態から閉状態となったことを検出し、検出結果を示す信号を制御部２２へ入力する。
【００４５】
第１表示部３２は、既に説明したように、電源の供給が切れても表示内容を保持する表示パネルを備え、閉状態と開状態のいずれにおいても外部に露出する。第２表示部３４および第３表示部３６は、既に説明したように、開状態において連結した表示部として情報を表示することができるように構成され、閉状態においては、第２表示部３４の一部を除いて外部から視認されない。
【００４６】
なお、第１表示部３２、第２表示部３４および第３表示部３６は、表示面に対する指等の接触を検出する機能を備えたタッチパネルであってもよい。この場合、表示面に対する指等の接触を検出する方式は、感圧式、静電容量式等の任意の方式でよい。第１表示部３２等をタッチパネルとすることにより、利用者は、直感的な操作によってページの切り替えや文字列の選択等を行うことが可能になり、利便性が向上する。また、第２表示部３４および第３表示部３６は、開状態において同一平面上に位置するため、第２表示部３４および第３表示部３６をまたがってドラッグやスイープ等の操作を行うことが容易である。
【００４７】
制御部２２は、携帯電子機器１の全体的な動作を統括的に制御する。すなわち、制御部２２は、携帯電子機器１の各種の処理が、操作部１３や開閉検出部２８から入力される信号等に応じて適切な手順で実行されるように、通信部２６、第１表示部３２、第２表示部３４、第３表示部３６等の動作を制御する。
【００４８】
制御部２２は、記憶部２４に記憶されているコンピュータプログラム（例えば、オペレーティングシステムプログラム、アプリケーションプログラム等）に基づいて処理を実行する。制御部２２は、例えば、マイクロプロセッサユニット（ＭＰＵ：Micro  Processing  Unit）で構成され、コンピュータプログラムに定義された手順にしたがって携帯電子機器１の各種の処理を実行する。すなわち、制御部２２は、記憶部２４に記憶されるコンピュータプログラムから命令列を順次読み込んで処理を実行する。
【００４９】
制御部２２は、携帯電子機器１の制御の一部として、携帯電子機器１の形態の変化と連動して第１表示部３２等の表示内容を変化させる。この制御は、制御部２２が、記憶部２４に記憶されているプログラムを読み込んで実行することにより実現される。
【００５０】
次に、図１３を参照しながら、携帯電子機器１の形態の変化と連動して第１表示部３２等の表示内容を変化させる制御の処理手順について説明する。図１３は、携帯電子機器１の形態の変化と連動して第１表示部３２等の表示内容を変化させる制御の処理手順を示すフロー図である。
【００５１】
図１３に示すように、ステップＳ１１として、開閉検出部２８が携帯電子機器１の形態の変化を検出すると、制御部２２は、ステップＳ１２として、その変化が閉状態から開状態への変化であるかを判定する。検出された変化が閉状態から開状態への変化である場合（ステップＳ１２，Ｙｅｓ）、制御部２２は、ステップＳ１３として、第１表示部３２で選択されている文字列があるかを判定する。
【００５２】
既に説明した通り、第１表示部３２は、閉状態においても外部から視認可能である。このため、利用者は、閉状態においても、第１表示部３２に表示されている情報を閲覧することができる。そして、利用者は、第１表示部３２に表示されている情報の一部である文字列を、例えば、ボタン１３ａまたはボタン１３ｂを操作することによって選択することができる。第１表示部３２がタッチパネルとして構成されている場合には、利用者は、第１表示部３２の表面を指でなぞることで所望の文字列を選択することができる。制御部２２は、第１表示部３２に表示させたテキストの一部が選択された場合、他の部分と識別できるように、反転表示させる等して選択された部分の表示態様を変化させる。
【００５３】
第１表示部３２で選択されている文字列がある場合（ステップＳ１３，Ｙｅｓ）、制御部２２は、ステップＳ１４として、選択されている文字列を検索キーとして検索を実行する。ここでいう検索とは、記憶部２４に予め記憶されている辞書データやデータベース等から検索キーに対応する情報を抽出する処理であってもよいし、検索サービスを提供するネットワーク上のサーバへ検索キーを送信して検索を依頼し、検索結果を受信する処理であってもよい。
【００５４】
そして、制御部２２は、ステップＳ１５として、検索結果を第２表示部３４および第３表示部３６にまたがって表示させる。なお、検索結果を表示させる場所は、第２表示部３４または第３表示部３６のいずれか一方であってもよい。
【００５５】
第１表示部３２が備える電子ペーパ等は、利用者が長時間見ても目への負担が少なく、また、消費電力が少ないという特徴がある。したがって、閉状態における携帯電子機器１は、例えば、電子書籍の閲覧装置として有用である。そして、上記のように、携帯電子機器１は、第１表示部３２に表示されている文字列が選択されている状態で形状が閉状態から開状態へ遷移した場合に、選択されている文字列を検索キーとして検索した結果が第２表示部３４等に表示されるように構成されている。
【００５６】
このため、利用者が、閉状態にある携帯電子機器１を電子書籍の表示装置として利用して読書を行っている最中に不明な単語をみつけた場合、その単語を選択して携帯電子機器１を開状態にすることにより、その単語について検索した結果を第２表示部３４等に表示させることができる。
【００５７】
ここで、検索結果を第２表示部３４および第３表示部３６にまたがって表示させることにより、情報を表示する領域を広く確保することができ、情報の一覧性が向上する。また、検索結果は短時間表示すればよいので、第２表示部３４および第３表示部３６が備える表示パネルとして、消費電力が比較的高いが高速表示やカラー表示に適した液晶ディスプレイや有機ＥＬパネル等を利用でき、検索結果の視認性が向上する。また、携帯電子機器１を変形させて第２表示部３４および第３表示部３６を露出させる操作と連動して検索の実行と検索結果の表示が行われるため、利用者は、検索の実行と検索結果の表示のためにボタンの押下等の操作をする必要がない。
【００５８】
ステップＳ１３において、第１表示部３２で選択されている文字列がなかった場合（ステップＳ１３，Ｎｏ）、制御部２２は、ステップＳ１６として、第１表示部３２に表示されている内容と関連する情報を第２表示部３４および第３表示部３６にまたがって表示させる。なお、関連する情報を表示させる場所は、第２表示部３４または第３表示部３６のいずれか一方であってもよい。
【００５９】
ここで、第１表示部３２に表示されている内容と関連する情報とは、例えば、第１表示部３２に電子書籍が表示されている場合、その電子書籍の作者のプロフィールや、その電子書籍に含まれる人物の相関を示す図や、第１表示部３２に表示されている場面の挿絵や写真である。第１表示部３２に表示されている内容と関連する情報は、第１表示部３２に表示されている電子書籍等に予め含まれていてもよいし、無線通信によって逐次取得してもよい。
【００６０】
また、ステップＳ１２において、検出された変化が開状態から閉状態への変化であった場合（ステップＳ１２，Ｎｏ）、制御部２２は、ステップＳ１７として、第２表示部３４または第３表示部３６で選択されている文字列があるかを判定する。
【００６１】
利用者は、第２表示部３４または第３表示部３６に表示されている情報の一部である文字列を、例えば、ボタン１３ｃ〜１３ｉのいずれかを操作することによって選択することができる。第２表示部３４および第３表示部３６がタッチパネルとして構成されている場合には、利用者は、第２表示部３４または第３表示部３６の表面を指でなぞることで所望の文字列を選択することができる。制御部２２は、第２表示部３４または第３表示部３６に表示させたテキストの一部が選択された場合、他の部分と識別できるように、反転表示させる等して選択された部分の表示態様を変化させる。
【００６２】
第２表示部３４または第３表示部３６で選択されている文字列がある場合（ステップＳ１７，Ｙｅｓ）、制御部２２は、ステップＳ１８として、選択されている文字列を第１表示部３２に表示させる。第２表示部３４または第３表示部３６で選択されている文字列がない場合（ステップＳ１７，Ｎｏ）、制御部２２は、形態の変化にともなう表示内容の更新処理を特に実行しない。
【００６３】
なお、第２表示部３４または第３表示部３６で画像等が選択されている場合に、選択されている画像等を第１表示部３２に表示させることとしてもよい。また、第２表示部３４または第３表示部３６で何も選択されていない場合、第２表示部３４または第３表示部３６に表示されている情報、あるいは、第２表示部３４および第３表示部３６にまたがって表示されている情報の全てを第１表示部３２に表示させることとしてもよい。
【００６４】
既に説明した通り、開状態においては、第２表示部３４および第３表示部３６を連結された表示部として扱って広い表示領域を確保することができ、また、第２表示部３４および第３表示部３６は、高速表示やカラー表示等に適している。したがって、開状態における携帯電子機器１は、例えば、動画やＷＥＢページの閲覧や、各種データの編集を行うための装置として有用である。
【００６５】
しかしながら、第２表示部３４や第３表示部３６に情報を表示させていると、消費電力が多くなってしまう。そこで、利用者は、携帯電子機器１を開状態にして利用中に、時間をかけて読みたい情報や後で確認したい情報を見つけた場合に、その情報を選択して携帯電子機器１の形態を閉状態に遷移させることにより、選択した情報を第１表示部３２に表示させる。こうすることにより、消費電力を抑制しつつ、情報が第１表示部３２に表示された状態を維持することができる。また、利用者は、情報を第１表示部３２へ転記するためにボタンの押下等の操作をする必要がない。
【００６６】
なお、上述した携帯電子機器１の構成は、本発明の要旨を逸脱しない範囲で任意に変更することができる。例えば、ボタン１３ａ等のボタンの数や配置や役割は、上記の実施形態に限定されない。
【００６７】
また、上記の実施形態では、第１表示部３２がメモリ性のある表示パネルを備え、第２表示部３４および第３表示部３６がメモリ性のない表示パネルを備えることとしたが、各表示部が備える表示パネルは、この通りでなくてもよい。例えば、第１表示部３２がメモリ性のない表示パネルを備え、ボタンの押下等に応じて情報の表示と非表示とを切り替えることとしてよい。また、第２表示部３４および第３表示部３６がメモリ性のある表示パネルを備えてもよい。
【００６８】
また、上記の実施形態では、折り畳み式の筐体を有する携帯電子機器１について説明したが、本発明は、形態の変化にともなって情報の表示させ方が変化する各種の携帯電子機器に適用することができる。具体的には、本発明は、少なくとも開状態において外部に露出する表示部と、少なくとも閉状態において外部に露出する他の携帯電子機器に適用することができる。例えば、本発明は、図１４および図１５に示す携帯電子機器２のように、筐体２Ａおよび筐体２Ｂがスライド自在に組み合わされ、図１４に示す閉状態では表示部３６が露出せず、図１５に示す開状態では表示部３６が露出するスライド式の筐体を有する携帯電子機器にも適用できる。
【００６９】
また、上述したように、第２表示部３４は、閉状態において一部が外部に露出する。そこで、開状態から閉状態への形態の変化と連動して、第２表示部３４または第３表示部３６に表示されていた情報の一部を、第２表示部３４の露出部分に表示させてもよい。なお、閉状態において一部が外部に露出するのは、第２表示部３４でなく、第３表示部３６であってもよい。
【符号の説明】
【００７０】
１  携帯電子機器
１Ａ  第１筐体
１Ｂ  第２筐体
８  ヒンジ機構
１１  充電池
１３  操作部
１４  カバー
１４ａ  切り欠き
１６  カバー
１６ａ、１６ｂ  切り欠き
２２  制御部
２４  記憶部
２６  通信部
２８  開閉検出部
３２  第１表示部
３４  第２表示部
３６  第３表示部
【図１】
0005643637.tif 000002
【図２】
0005643637.tif 000003
【図３】
0005643637.tif 000004
【図４】
0005643637.tif 000005
【図５】
0005643637.tif 000006
【図６】
0005643637.tif 000007
【図７】
0005643637.tif 000008
【図８】
0005643637.tif 000009
【図９】
0005643637.tif 000010
【図１０】
0005643637.tif 000011
【図１１】
0005643637.tif 000012
【図１２】
0005643637.tif 000013
【図１３】
0005643637.tif 000014
【図１４】
0005643637.tif 000015
【図１５】
0005643637.tif 000016